(57)【特許請求の範囲】
【請求項１】
電気的接続を行うための受けコネクタに嵌合又は離脱可能であるハウジングと、
軸方向に沿って前記受けコネクタの受け端子に相互に挿抜可能である複数の棒状のプラグ端子と、前記複数のプラグ端子における前記受け端子との接点とは反対側の端部を連結する導電性の線状部材と、を有して前記ハウジングに設けられ、前記複数のプラグ端子及び前記線状部材が前記受け端子と共に電源から負荷への電源供給を行うための電源回路の一部を構成し前記複数のプラグ端子が前記受け端子に接続された状態で前記電源回路を通電させるプラグ端子ユニットと、
前記プラグ端子ユニットが前記ハウジングに対して相対回動可能、かつ、前記軸方向に交差する方向に相対移動可能に前記線状部材を支持する支持部と、を備えることを特徴とするプラグコネクタ。
【請求項２】
前記支持部は、
前記線状部材における前記複数のプラグ端子の中間部を前記軸方向における一方側から支持する第１支持部と、
前記線状部材を挟んで前記第１支持部に対向して配置され、前記軸方向における他方側から前記線状部材を支持する第２支持部と、を有する請求項１に記載のプラグコネクタ。
【請求項３】
前記第１支持部及び前記第２支持部は、
前記線状部材を支持する支持面が湾曲形状に形成されている請求項２に記載のプラグコネクタ。
【請求項４】
前記第１支持部及び前記第２支持部は、
前記線状部材を保持する保持板と、前記保持板を前記ハウジングに固定し前記線状部材より高い可撓性を有する足部と、を備える請求項２に記載のプラグコネクタ。
【請求項５】
電気的接続を行うための受け端子を有する受けコネクタと、
前記受けコネクタに嵌合又は離脱可能であるハウジングと、軸方向に沿って前記受け端子に相互に挿抜可能である複数の棒状のプラグ端子、及び、前記複数のプラグ端子における前記受け端子との接点とは反対側の端部を連結する導電性の線状部材を有して前記ハウジングに設けられ前記複数のプラグ端子及び前記線状部材が前記受け端子と共に電源から負荷への電源供給を行うための電源回路の一部を構成し前記複数のプラグ端子が前記受け端子に接続された状態で前記電源回路を通電させるプラグ端子ユニットと、前記プラグ端子ユニットが前記ハウジングに対して相対回動可能、かつ、前記軸方向に交差する方向に相対移動可能に前記線状部材を支持する支持部と、を有するプラグコネクタと、
を備えることを特徴とする電源回路遮断装置。
【発明の詳細な説明】
【技術分野】
【０００１】
本発明は、プラグコネクタ及び電源回路遮断装置に関する。
【背景技術】
【０００２】
従来、電源回路遮断装置（サービスプラグ）は、主に電気自動車、燃料電池自動車、ハイブリッド車等の車両に搭載されており、バッテリ等の電源から回転電機等の負荷への電源供給を行うための電源回路に組み込まれ、この電源回路を必要に応じて通電又は遮断する（例えば、特許文献１）。電源回路遮断装置は、プラグコネクタと受けコネクタとを備え、プラグコネクタが受けコネクタに嵌合されることで電源回路を通電し、プラグコネクタが受けコネクタから離脱されることで電源回路の導通を遮断する。
【先行技術文献】
【特許文献】
【０００３】
【特許文献１】特開２０１４−１４６４５１号公報
【発明の概要】
【発明が解決しようとする課題】
【０００４】
ところで、電源回路遮断装置は、プラグコネクタを受けコネクタに嵌合又は離脱するときに、プラグコネクタの端子と受けコネクタの端子とを相互に円滑に挿抜する点で更なる改善の余地がある。
【０００５】
そこで、本発明は、上記に鑑みてなされたものであって、プラグコネクタの端子と受けコネクタの端子とを相互に円滑に挿抜することができるプラグコネクタ及び電源回路遮断装置を提供することを目的とする。
【課題を解決するための手段】
【０００６】
上述した課題を解決し、目的を達成するために、本発明に係るプラグコネクタは、電気的接続を行うための受けコネクタに嵌合又は離脱可能であるハウジングと、軸方向に沿って前記受けコネクタの受け端子に相互に挿抜可能である複数の棒状のプラグ端子と、前記複数のプラグ端子における前記受け端子との接点とは反対側の端部を連結する導電性の線状部材と、を有して前記ハウジングに設けられ、前記複数のプラグ端子及び前記線状部材が前記受け端子と共に電源から負荷への電源供給を行うための電源回路の一部を構成し前記複数のプラグ端子が前記受け端子に接続された状態で前記電源回路を通電させるプラグ端子ユニットと、前記プラグ端子ユニットが前記ハウジングに対して相対回動可能、かつ、前記軸方向に交差する方向に相対移動可能に前記線状部材を支持する支持部と、を備えることを特徴とする。
【０００７】
また、上記プラグコネクタにおいて、前記支持部は、前記線状部材における前記複数のプラグ端子の中間部を前記軸方向における一方側から支持する第１支持部と、前記線状部材を挟んで前記第１支持部に対向して配置され、前記軸方向における他方側から前記線状部材を支持する第２支持部と、を有することが好ましい。
【０００８】
また、上記プラグコネクタにおいて、前記第１支持部及び前記第２支持部は、前記線状部材を支持する支持面が湾曲形状に形成されていることが好ましい。
【０００９】
また、上記プラグコネクタにおいて、前記第１支持部及び前記第２支持部は、前記線状部材を保持する保持板と、前記保持板を前記ハウジングに固定し前記線状部材より高い可撓性を有する足部と、を備えることが好ましい。
【００１０】
また、本発明に係る電源回路遮断装置は、電気的接続を行うための受け端子を有する受けコネクタと、前記受けコネクタに嵌合又は離脱可能であるハウジングと、軸方向に沿って前記受け端子に相互に挿抜可能である複数の棒状のプラグ端子、及び、前記複数のプラグ端子における前記受け端子との接点とは反対側の端部を連結する導電性の線状部材を有して前記ハウジングに設けられ前記複数のプラグ端子及び前記線状部材が前記受け端子と共に電源から負荷への電源供給を行うための電源回路の一部を構成し前記複数のプラグ端子が前記受け端子に接続された状態で前記電源回路を通電させるプラグ端子ユニットと、前記プラグ端子ユニットが前記ハウジングに対して相対回動可能、かつ、前記軸方向に交差する方向に相対移動可能に前記線状部材を支持する支持部と、を有するプラグコネクタと、を備えることを特徴とする。
【発明の効果】
【００１１】
本発明に係るプラグコネクタ及び電源回路遮断装置は、プラグ端子ユニットがハウジングに対して相対回動可能、かつ、軸方向に交差する方向に相対移動可能に線状部材を支持する支持部を備えるので、プラグコネクタを受けコネクタに嵌合又は離脱するときに、プラグコネクタの端子と受けコネクタの端子とが同軸上に位置し、プラグコネクタの端子と受けコネクタの端子とを相互に円滑に挿抜することができる。
【図面の簡単な説明】
【００１２】
【図１】図１は、実施形態に係るサービスプラグの構成例を示す分解斜視図である。
【図２】図２は、実施形態に係る受けコネクタの構成例を示す断面図である。
【図３】図３は、実施形態に係るプラグコネクタの構成例を示す断面図である。
【図４】図４は、実施形態に係るプラグ端子ユニットの構成例を示す正面図である。
【図５】図５は、実施形態に係るプラグコネクタの機能例を示す断面図である。
【図６】図６は、実施形態に係るプラグコネクタの機能例を示す断面図である。
【図７】図７は、変形例に係るプラグコネクタの構成例を示す断面図である。
【図８】図８は、変形例に係るプラグコネクタの機能例を示す断面図である。
【発明を実施するための形態】
【００１３】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１４】
〔実施形態〕
実施形態に係るプラグコネクタ及び電源回路遮断装置について説明する。本実施形態では、図１に示すように、電源回路遮断装置として機能するサービスプラグ１に適用した例について説明する。サービスプラグ１は、図示しない電気自動車、燃料電池自動車、ハイブリッド車等の車両に搭載され、図２に示すように、バッテリ等の電源２ａから、回転電機等の負荷２ｂへの電源供給を行うための電源回路２の一部を構成し、この電源回路２を必要に応じて接続（通電、非遮断）、又は、遮断する装置である。例えば、点検整備等の作業時などには、このサービスプラグ１により電源回路２を遮断して非通電状態とし、感電防止等の作業者の安全を確保することができるよう構成される。
【００１５】
サービスプラグ１は、受けコネクタ１０と、プラグコネクタ２０とを備える。サービスプラグ１は、受けコネクタ１０にプラグコネクタ２０が嵌合されて電源回路２を通電させ、受けコネクタ１０からプラグコネクタ２０が離脱されて電源回路２を遮断する。
【００１６】
以下の説明では、受けコネクタ１０とプラグコネクタ２０との対向方向（図１の上下方向）を「高さ方向」と表記し、プラグコネクタ２０が位置する側を「上側」、受けコネクタ１０が位置する側を「下側」と表記する。そして、プラグコネクタ２０が受けコネクタ１０に対して嵌合する方向であり、高さ方向下側へ向かう方向を「嵌合方向」とも表記する場合がある。また、高さ方向は、「軸方向」とも表記する場合がある。さらに、高さ方向に直交し、後述する複数のプラグ端子２１ａが並ぶ方向を「幅方向」と表記する。なお、幅方向は、高さ方向と交差する方向を含むものとする。幅方向及び高さ方向に直交する方向を「奥行方向」と表記する。
【００１７】
受けコネクタ１０は、図２に示すように、受け端子１１と、受けハウジング１２とを備える。受け端子１１は、後述するプラグ端子ユニット２１と共に電源回路２の一部を構成するものである。受け端子１１は、雌端子であり、金属等の導電部材により形成される。受け端子１１は、複数設けられ、例えば２つ設けられる。各受け端子１１は、円筒形状に形成され、高さ方向に沿って受けハウジング１２に固定される。各受け端子１１は、プラグ端子挿入部１１ａと、リード部１１ｂとを有する。プラグ端子挿入部１１ａは、プラグ端子２１ａが挿入される部分であり、高さ方向上側に設けられる。プラグ端子挿入部１１ａは、複数のバネ部材から形成された円筒形状の電極部材１１ｃを有する。電極部材１１ｃは、プラグ端子挿入部１１ａの周面に沿って装着される。電極部材１１ｃは、プラグ端子２１ａがプラグ端子挿入部１１ａに挿入されると、プラグ端子２１ａに当接してプラグ端子２１ａと受け端子１１とを電気的に接続する。リード部１１ｂは、高さ方向下側に設けられ、電線２ｃを介して電源回路２の電源２ａ又は負荷２ｂに接続される。例えば、一方側の受け端子１１のリード部１１ｂは、電線２ｃを介して電源回路２の電源２ａに接続され、他方側の受け端子１１のリード部１１ｂは、電線２ｃを介して電源回路２の負荷２ｂに接続される。
【００１８】
受けハウジング１２は、絶縁可能に受け端子１１を保持するものであり、例えば、樹脂など絶縁部材により射出成型される。受けハウジング１２は、筒形状の受け側外壁部１２ａと、受け側外壁部１２ａの外周面から幅方向に突出した突出部１２ｂと、受け側外壁部１２ａの内部に設けられ受け端子１１を保持する円筒形状の円筒保持部１２ｃと、円筒保持部１２ｃを受け側外壁部１２ａの内部に固定する固定部１２ｄとを有する。
【００１９】
受け側外壁部１２ａは、高さ方向から見た場合に略矩形状に形成されており、４つの角部がアール（丸み）を帯びて形成される。受け側外壁部１２ａは、高さ方向上側が開口された開口部１２ｅと、高さ方向下側が板形状の固定部１２ｄにより閉塞された閉塞部１２ｆと、受け側外壁部１２ａと閉塞部１２ｆとで区画される嵌合空間部１２ｈとを有する。突出部１２ｂは、受けコネクタ１０を車両に固定するものであり、例えば、受け側外壁部１２ａの外周面の周方向に沿って環状に形成される。円筒保持部１２ｃは、高さ方向に沿って延在し中空状に形成される。円筒保持部１２ｃは、後述する複数のプラグ端子２１ａが並ぶ幅方向に沿って複数、例えば２つ並んで設けられる。円筒保持部１２ｃは、プラグ端子２１ａが挿抜される開口部１２ｇが筒形状に形成され、開口部１２ｇによりプラグ端子２１ａを受け端子１１に案内する。
【００２０】
プラグコネクタ２０は、図３に示すように、プラグ端子ユニット２１と、ハウジングとしてのプラグハウジング２２と、支持部２３とを備える。プラグ端子ユニット２１は、図４に示すように、複数のプラグ端子２１ａと、導電性の線状部材としての導電連結板２１ｂとを備える。各プラグ端子２１ａは、受け端子１１と共に電源回路２の一部を構成するものである。各プラグ端子２１ａは、雄端子であり、金属等の導電部材により形成される。各プラグ端子２１ａは、棒状に形成され、複数本、例えば２本設けられる。各プラグ端子２１ａは、高さ方向における長さが同等であり、導電連結板２１ｂにより連結されることでプラグ端子ユニット２１が構成される。各プラグ端子２１ａは、ボルト２１ｃが締結されるネジ孔２１ｅが受け端子１１との接点とは反対側の端部２１ｈに設けられている。各プラグ端子２１ａは、受け端子１１との接点側の端部２１ｇが軸方向（高さ方向）に沿って受け端子１１に挿抜される。導電連結板２１ｂは、各プラグ端子２１ａにおける受け端子１１との接点とは反対側の端部２１ｈを連結するものである。導電連結板２１ｂは、例えば、プラグハウジング２２より高い剛性を有して長板形状に形成され、両端にボルト２１ｃを挿入する孔部２１ｆを有する。この例では、導電連結板２１ｂは、２枚形成され、高さ方向に積層されている。導電連結板２１ｂは、ボルト２１ｃにより両端の孔部２１ｆが各プラグ端子２１ａのネジ孔２１ｅと共に締結され、各プラグ端子２１ａを連結する。プラグ端子ユニット２１は、受け端子１１と共に電源２ａから負荷２ｂへの電源供給を行うための電源回路２の一部を構成し、受け端子１１に接続された状態で電源回路２を通電させる。
【００２１】
プラグハウジング２２は、絶縁可能にプラグ端子ユニット２１を保持するものである。プラグハウジング２２は、受けハウジング１２の嵌合空間部１２ｈに嵌合されたり、嵌合空間部１２ｈから離脱されたりする。プラグハウジング２２は、ハウジング本体２２ａと、蓋部２２ｂとを備える。ハウジング本体２２ａは、例えば樹脂など絶縁部材により射出成型され、筒形状のプラグ側外壁部２２ｃと、規制部２２ｄとを有する。
【００２２】
筒形状のプラグ側外壁部２２ｃは、ハウジング本体２２ａの外壁を構成するものであり、作業者が把持する露出部２２ｅと、受けハウジング１２に嵌合されるプラグ嵌合壁２２ｇとを有する。露出部２２ｅは、プラグハウジング２２が受けハウジング１２の嵌合空間部１２ｈに嵌合された状態で露出する部分である。露出部２２ｅは、高さ方向から見た場合に、略矩形状に形成されており４つの角部がアール（丸み）を帯びて形成され、受けハウジング１２の開口部１２ｅより大きく形成されている。プラグ嵌合壁２２ｇは、露出部２２ｅの高さ方向下側から延在し、高さ方向から見た場合に受けハウジング１２の開口部１２ｅより小さく形成され、受けハウジング１２の受け側外壁部１２ａの内側に嵌合可能な形状に形成されている。プラグ嵌合壁２２ｇは、受け側外壁部１２ａに嵌合することを容易にするために、受け側外壁部１２ａの内側との間に隙間を有している。プラグ嵌合壁２２ｇは、高さ方向における長さが、受け側外壁部１２ａの開口部１２ｅから受け側外壁部１２ａの固定部１２ｄまでの長さと略等しくなっている。これにより、プラグ側外壁部２２ｃは、プラグ嵌合壁２２ｇが受け側外壁部１２ａの固定部１２ｄに突き当たるか、又は、露出部２２ｅの高さ方向下側が受け側外壁部１２ａの開口部１２ｅに突き当たるまで嵌合空間部１２ｈに嵌合される。
【００２３】
規制部２２ｄは、プラグ側外壁部２２ｃの内部に設けられ、プラグ端子ユニット２１が軸方向に直交する方向、例えば幅方向や奥行方向へ移動することを規制するものである。規制部２２ｄは、リング形状に形成され、各プラグ端子２１ａの周面の一部を囲う。規制部２２ｄは、各プラグ端子２１ａが幅方向や奥行方向へ移動すると、各プラグ端子２１ａの周面に当接して各プラグ端子２１ａの移動を規制する。
【００２４】
蓋部２２ｂは、筒形状のハウジング本体２２ａにおける高さ方向上側の開口部を閉塞するものである。蓋部２２ｂは、例えば、樹脂など絶縁部材により射出成型される。蓋部２２ｂは、蓋本体２２ｈを有する。蓋本体２２ｈは、平板形状に形成され、ハウジング本体２２ａにおける高さ方向上側の開口部、つまり露出部２２ｅの開口部に装着される。
【００２５】
支持部２３は、プラグ端子ユニット２１を支持するものである。支持部２３は、第１支持部２３ａと、第２支持部２３ｂとを有する。第１支持部２３ａは、プラグハウジング２２のプラグ側外壁部２２ｃの内部に設けられ、プラグ端子ユニット２１を軸方向における一方側から支持する。第１支持部２３ａは、プラグ嵌合壁２２ｇの高さ方向上側の端部に位置し、さらにプラグ嵌合壁２２ｇの幅方向における略中央に位置する。つまり、第１支持部２３ａは、プラグ端子ユニット２１の各プラグ端子２１ａの幅方向における中間に位置すると共にプラグ端子ユニット２１の導電連結板２１ｂの高さ方向下側に位置する。第１支持部２３ａは、棒状に形成され奥行方向に延在する。第１支持部２３ａは、例えば、導電連結板２１ｂの奥行方向における長さよりも長く形成される。つまり、第１支持部２３ａは、高さ方向から見た場合、両端が導電連結板２１ｂから奥行方向にはみ出している。なお、第１支持部２３ａは、導電連結板２１ｂの奥行方向における長さと同等の長さでもよく、また、導電連結板２１ｂの奥行方向における長さよりも短くてもよい。第１支持部２３ａは、例えば、射出成型によりハウジング本体２２ａに一体形成される。第１支持部２３ａは、軸方向に交差する方向（幅方向）において両側のプラグ端子２１ａと間隔を有し、プラグ端子ユニット２１がプラグハウジング２２に対して幅方向に相対移動可能に各プラグ端子２１ａの導電連結板２１ｂを支持する。第１支持部２３ａは、導電連結板２１ｂにおける各プラグ端子２１ａの中間部２１ｄを軸方向下側から支持する支持面２３ｃを有し、当該支持面２３ｃが湾曲形状に形成されている。支持面２３ｃは、例えば、奥行方向から見た場合、円弧形状に形成されている。なお、支持面２３ｃは、円弧形状以外の形状でもよく、例えば、高さ方向上側から見た場合、球面形状に形成さていてもよい。第１支持部２３ａは、支持面２３ｃが導電連結板２１ｂの高さ方向下側に当接し、プラグ端子ユニット２１をプラグハウジング２２に対して相対回動可能に支持する。例えば、第１支持部２３ａは、支持面２３ｃにおける導電連結板２１ｂとの当接部が下側回動支点となり、プラグ端子ユニット２１が下側回動支点を中心にして回動する。つまり、プラグ端子ユニット２１は、奥行方向から見た場合、第１支持部２３ａの下側回動支点を中心にして時計回り又は反時計回りに回動する。
【００２６】
第２支持部２３ｂは、蓋本体２２ｈの裏面側、つまり蓋本体２２ｈのプラグ端子ユニット２１側に設けられ、プラグ端子ユニット２１を軸方向における他方側から支持する。第２支持部２３ｂは、プラグ端子ユニット２１の導電連結板２１ｂを挟んで第１支持部２３ａに対向して配置される。第２支持部２３ｂは、第１支持部２３ａと同様に棒状に形成され奥行方向に延在する。第２支持部２３ｂは、例えば、導電連結板２１ｂの奥行方向における長さよりも長く形成される。つまり、第２支持部２３ｂは、高さ方向から見た場合、両端が導電連結板２１ｂから奥行方向にはみ出している。なお、第２支持部２３ｂは、導電連結板２１ｂの奥行方向における長さと同等の長さでもよく、また、導電連結板２１ｂの奥行方向における長さよりも短くてもよい。第２支持部２３ｂは、例えば、射出成型により蓋本体２２ｈに一体形成される。第２支持部２３ｂは、軸方向に交差する方向（幅方向）において両側のプラグ端子２１ａと間隔を有し、幅方向に相対移動可能に各プラグ端子２１ａの導電連結板２１ｂを支持する。第２支持部２３ｂは、導電連結板２１ｂにおける各プラグ端子２１ａの中間部２１ｄを軸方向上側（他方側）から支持する支持面２３ｄを有し、当該支持面２３ｄが湾曲形状に形成されている。支持面２３ｄは、例えば、奥行方向から見た場合、円弧形状に形成されている。なお、支持面２３ｄは、円弧形状以外の形状であってもよく、例えば、高さ方向下側から見た場合、球面形状に形成さていてもよい。第２支持部２３ｂは、支持面２３ｄが導電連結板２１ｂの高さ方向上側に当接し、プラグ端子ユニット２１をプラグハウジング２２に対して相対回動可能に支持する。例えば、第２支持部２３ｂは、支持面２３ｄにおける導電連結板２１ｂとの当接部が上側回動支点となり、プラグ端子ユニット２１が上側回動支点を中心にして回動する。つまり、プラグ端子ユニット２１は、奥行方向から見た場合、第２支持部２３ｂの上側回動支点を中心にして時計回り又は反時計回りに回動する。
【００２７】
次に、プラグコネクタ２０の機能について説明する。プラグコネクタ２０は、図５に示すように、プラグハウジング２２が受けハウジング１２の嵌合空間部１２ｈに嵌合される。このとき、プラグコネクタ２０は、プラグハウジング２２と受けハウジン１２との嵌合隙間により、プラグ端子２１ａの軸方向が受け端子１１の軸方向と同軸上にない場合がある。この場合、プラグコネクタ２０は、プラグ端子２１ａの高さ方向下側の端部２１ｇが受けハウジング１２の円筒保持部１２ｃの開口部１２ｇに挿入されたとき、プラグ端子ユニット２１が第１支持部２３ａを中心に相対回動してプラグ端子２１ａと受け端子１１とが同軸上に位置する。そして、プラグコネクタ２０は、プラグ端子２１ａと受け端子１１とが同軸上に位置し第２支持部２３ｂが導電連結板２１ｂの高さ方向上側に当接した状態で嵌合方向に押し込まれる。これにより、プラグコネクタ２０は、嵌合時にプラグ端子２１ａの軸方向と受け端子１１の軸方向とが同軸上にない場合でも、プラグ端子ユニット２１が回動してプラグ端子２１ａと受け端子１１とが同軸上に位置し、プラグ端子２１ａが受け端子１１に対して円滑に挿入される。プラグコネクタ２０は、図６に示すように、プラグ端子２１ａが受け端子１１に挿入されて受け端子１１の電極部材１１ｃに当接し、プラグ端子２１ａと受け端子１１とが電気的に接続される。この結果、プラグコネクタ２０は、受けコネクタ１０と共に電源回路２を通電させ、電源２ａから負荷２ｂに電流を流すことができる。
【００２８】
また、プラグコネクタ２０は、受けコネクタ１０から離脱されるとき、例えば、プラグハウジング２２と受けハウジン１２との嵌合隙間により、プラグハウジング２２が受けハウジング１２に対して高さ方向に交差する傾斜方向に離脱される場合がある。この場合、プラグコネクタ２０は、プラグ端子２１ａが受け端子１１に挿入された状態では、プラグハウジング２２が第１支持部２３ａを中心にして、プラグ端子ユニット２１に対して相対回動する。つまり、プラグコネクタ２０は、プラグハウジング２２が受けハウジング１２に対して傾斜方向に離脱されてもプラグハウジング２２のみが相対回動するので、プラグ端子２１ａと受け端子１１とが同軸上に位置した状態で受けコネクタ１０から離脱される。これにより、プラグコネクタ２０は、離脱時にプラグハウジング２２が受けハウジング１２に対して傾斜方向に離脱されても、プラグ端子２１ａが受け端子１１に対して円滑に抜かれる。この結果、プラグコネクタ２０は、受けコネクタ１０から離脱されて電源回路２を遮断させ、電源２ａから負荷２ｂに電流を流れないようにすることができる。このように、プラグコネクタ２０は、支持部２３がプラグ端子２１ａの調芯構造として機能することができる。
【００２９】
以上のように、実施形態に係るプラグコネクタ２０は、プラグ端子ユニット２１をプラグハウジング２２に対して相対回動可能、かつ、軸方向に交差する方向に相対移動可能に導電連結板２１ｂを支持する支持部２３を備えるものである。また、サービスプラグ１は、プラグコネクタ２０と受けコネクタ１０とを備えるものである。これにより、プラグコネクタ２０及びサービスプラグ１は、嵌合時にプラグ端子ユニット２１が支持部２３を中心に回動してプラグ端子２１ａの軸方向と受け端子１１の軸方向とが同軸上に位置し、プラグ端子２１ａと受け端子１１との接触圧を低く抑えるのでプラグ端子２１ａを受け端子１１に対して円滑に挿入することができる。また、プラグコネクタ２０及びサービスプラグ１は、離脱時にプラグハウジング２２が支持部２３を中心に回動し、プラグ端子２１ａと受け端子１１とが同軸上に位置した状態でプラグ端子２１ａを受け端子１１から円滑に抜くことができる。また、プラグコネクタ２０及びサービスプラグ１は、従来のようにプラグ端子ユニット２１がプラグハウジング２２に固定されていないので、プラグ端子ユニット２１の組み付け誤差によりプラグ端子２１ａが受け端子１１と同軸上に位置しない状態で挿抜されることを防止できる。
【００３０】
また、支持部２３は、導電連結板２１ｂにおける複数のプラグ端子２１ａの中間部２１ｄを軸方向における一方側から支持する第１支持部２３ａと、導電連結板２１ｂを挟んで第１支持部２３ａに対向して配置され、軸方向における他方側から導電連結板２１ｂを支持する第２支持部２３ｂとを有する。これにより、プラグコネクタ２０は、受けコネクタ１０に嵌合するときに、プラグ端子ユニット２１が第１支持部２３ａを中心に回動してプラグ端子２１ａと受け端子１１とが同軸上に位置することができる。さらに、プラグコネクタ２０は、プラグ端子２１ａと受け端子１１とが同軸上に位置した状態で、第２支持部２３ｂが軸方向上側からプラグ端子ユニット２１を支持して嵌合方向に押し込むことができる。また、プラグコネクタ２０は、受けコネクタ１０から離脱するときに、プラグハウジング２２が第１支持部２３ａを中心に回動しプラグ端子２１ａと受け端子１１とが同軸上に位置した状態で、プラグ端子２１ａを受け端子１１から抜くことができる。
【００３１】
また、第１支持部２３ａ及び前記第２支持部２３ｂは、導電連結板２１ｂを支持する支持面２３ｃ、２３ｄが湾曲形状に形成されている。これにより、プラグコネクタ２０は、プラグ端子ユニット２１を支持面２３ｃ、２３ｄに沿って時計回り又は反時計回りに円滑に回動させることができる。
【００３２】
〔変形例〕
次に、実施形態に係るプラグコネクタ２０の変形例について説明する。プラグコネクタ２０は、第１及び第２支持部２３ａ、２３ｂが棒状に形成され奥行方向に延在する例について説明したが、これに限定されない。例えば、図７に示すように、プラグコネクタ２０Ａは、奥行き方向から見た場合、支持部２４がＴ字形状に形成されてもよい。支持部２４は、第１支持部２４ａと第２支持部２４ｂとを有する。第１支持部２４ａは、上述した第１支持部２３ａと略同じ位置に配置される。例えば、第１支持部２４ａは、プラグ嵌合壁２２ｇの高さ方向上側の端部に位置し、さらにプラグ嵌合壁２２ｇの幅方向における略中央に位置する。第１支持部２４ａは、奥行方向に延在し、例えば、導電連結板２１ｂの奥行方向における長さよりも長く形成される。なお、第１支持部２４ａは、導電連結板２１ｂの奥行方向における長さと同等の長さでもよく、また、導電連結板２１ｂの奥行方向における長さよりも短くてもよい。第１支持部２４ａは、例えば、射出成型によりハウジング本体２２ａに一体形成される。
【００３３】
第１支持部２４ａは、軸方向に交差する方向（幅方向）において両側のプラグ端子２１ａと間隔を有し、プラグ端子ユニット２１がプラグハウジング２２に対して幅方向に相対移動可能に各プラグ端子２１ａの導電連結板２１ｂを支持する。第１支持部２４ａは、導電連結板２１ｂにおける各プラグ端子２１ａの中間部２１ｄを軸方向下側から支持する保持板２４ｃと、保持板２４ｃをプラグハウジング２２に固定し導電連結板２１ｂより高い可撓性を有する足部２４ｄとを備える。保持板２４ｃは、導電連結板２１ｂを支持する支持面２４ｅが平面状に形成され奥行方向に延在する。足部２４ｄは、樹脂などにより形成され、保持板２４ｃの幅方向における中間部からプラグ嵌合壁２２ｇの高さ方向上側の端部まで延在する。第１支持部２４ａは、上述したように、奥行方向から見た場合、Ｔ字形状に形成されている。第１支持部２４ａは、支持面２４ｅが導電連結板２１ｂの高さ方向下側に当接し、プラグ端子ユニット２１をプラグハウジング２２に対して相対回動可能に支持する。例えば、第１支持部２４ａは、足部２４ｄが各プラグ端子２１ａ側に撓むことで足部２４ｄが下側回動支点となり、プラグ端子ユニット２１が下側回動支点を中心にして回動する。つまり、プラグ端子ユニット２１は、奥行方向から見た場合、第１支持部２４ａの下側回動支点を中心にして時計回り又は反時計回りに回動する。
【００３４】
第２支持部２４ｂは、蓋本体２２ｈの裏面側、つまり蓋本体２２ｈのプラグ端子ユニット２１側に設けられ、プラグ端子ユニット２１を軸方向上側から支持する。第２支持部２４ｂは、プラグ端子ユニット２１の導電連結板２１ｂを挟んで第１支持部２４ａに対向して配置される。第２支持部２４ｂは、第１支持部２４ａと同様に形成され奥行方向に延在する。第２支持部２４ｂは、例えば、導電連結板２１ｂの奥行方向における長さよりも長く形成される。なお、第２支持部２４ｂは、導電連結板２１ｂの奥行方向における長さと同等の長さでもよく、また、導電連結板２１ｂの奥行方向における長さよりも短くてもよい。第２支持部２４ｂは、例えば、射出成型により蓋本体２２ｈに一体形成される。第２支持部２４ｂは、軸方向に交差する方向（幅方向）において両側のプラグ端子２１ａと間隔を有し、プラグ端子ユニット２１がプラグハウジング２２に対して幅方向に相対移動可能に各プラグ端子２１ａの導電連結板２１ｂを支持する。第２支持部２４ｂは、導電連結板２１ｂにおける各プラグ端子２１ａの中間部２１ｄを軸方向上側から支持する保持板２４ｇと、保持板２４ｇを蓋部２２ｂに固定し導電連結板２１ｂより高い可撓性を有する足部２４ｈとを備える。保持板２４ｇは、導電連結板２１ｂを支持する支持面２４ｉが平面状に形成され奥行方向に延在する。足部２４ｈは、樹脂などにより形成され、保持板２４ｇの幅方向における中間部から蓋部２２ｂの高さ方向下側まで延在する。第２支持部２４ｂは、奥行方向から見た場合、上下逆向きのＴ字形状に形成されている。第２支持部２４ｂは、支持面２４ｉが導電連結板２１ｂの高さ方向上側に当接し、プラグ端子ユニット２１をプラグハウジング２２に対して相対回動可能に支持する。例えば、第２支持部２４ｂは、足部２４ｈが各プラグ端子２１ａ側に撓むことで足部２４ｈが上側回動支点となり、プラグ端子ユニット２１が上側回動支点を中心にして回動する。つまり、プラグ端子ユニット２１は、奥行方向から見た場合、第２支持部２４ｂの上側回動支点を中心にして時計回り又は反時計回りに回動する。
【００３５】
次に、プラグコネクタ２０Ａの機能について説明する。プラグコネクタ２０Ａは、図８に示すように、プラグハウジング２２が受けハウジング１２の嵌合空間部１２ｈに嵌合される。このとき、プラグコネクタ２０Ａは、プラグハウジング２２と受けハウジング１２との嵌合隙間により、プラグ端子２１ａの軸方向が受け端子１１の軸方向と同軸上にない場合がある。この場合、プラグコネクタ２０Ａは、プラグ端子２１ａの端部２１ｇが受けハウジング１２の円筒保持部１２ｃの開口部１２ｇに挿入されたとき、プラグ端子ユニット２１が第１支持部２４ａを中心に回動してプラグ端子２１ａと受け端子１１とが同軸上に位置する。そして、プラグコネクタ２０Ａは、プラグ端子２１ａと受け端子１１とが同軸上に位置し第２支持部２４ｂが導電連結板２１ｂの高さ方向上側に当接した状態で嵌合方向に押し込まれ、プラグ端子２１ａが受け端子１１に挿入される。これにより、プラグコネクタ２０Ａは、嵌合時にプラグ端子２１ａの軸方向と受け端子１１の軸方向とが同軸上にない場合でも、プラグ端子ユニット２１が回動してプラグ端子２１ａと受け端子１１とが同軸上に位置し、プラグ端子２１ａが受け端子１１に対して円滑に挿入される。
【００３６】
また、プラグコネクタ２０Ａは、受けコネクタ１０から離脱されるとき、例えば、プラグハウジング２２と受けハウジング１２との嵌合隙間により、プラグハウジング２２が受けハウジング１２に対して高さ方向に交差して傾斜する傾斜方向に離脱される場合がある。この場合、プラグコネクタ２０Ａは、プラグ端子２１ａが受け端子１１に挿入された状態では、プラグハウジング２２が第１支持部２４ａを中心にして、プラグ端子ユニット２１に対して回動する。つまり、プラグコネクタ２０Ａは、プラグハウジング２２が受けハウジング１２に対して傾斜方向に離脱されてもプラグハウジング２２のみが回動するので、プラグ端子２１ａと受け端子１１とが同軸上に位置した状態で受けコネクタ１０から離脱される。これにより、プラグコネクタ２０Ａは、離脱時にプラグハウジング２２が受けハウジング１２に対して傾斜方向に離脱されても、プラグ端子２１ａが受け端子１１に対して円滑に抜かれる。このように、プラグコネクタ２０Ａは、支持部２４がプラグ端子２１ａの調芯構造として機能することができる。
【００３７】
以上のように、変形例に係るプラグコネクタ２０Ａは、支持部２４が、導電連結板２１ｂを保持する保持板２４ｃ、２４ｇと、保持板２４ｃ、２４ｇをプラグハウジング２２に固定し導電連結板２１ｂより高い可撓性を有する足部２４ｄ、２４ｈとを備える。これにより、プラグコネクタ２０Ａは、足部２４ｄ、２４ｈが撓むことによりプラグ端子ユニット２１が支持部２４を中心に回動してプラグ端子２１ａの軸方向と受け端子１１の軸方向とが同軸上に位置し、プラグ端子２１ａを受け端子１１に対して円滑に挿抜することができる。
【００３８】
なお、プラグハウジング２２と支持部２３、２４とが射出成型により一体成型される例について説明したが、これに限定されない。例えば、プラグハウジング２２と支持部２３、２４とが別体で形成され、支持部２３、２４がプラグハウジング２２に接着剤等により接着固定されていてもよい。
【００３９】
また、サービスプラグ１は、プラグハウジング２２に回動可能に設けられ、回動操作によってプラグハウジング２２と受けハウジング１２との間に嵌合力または離脱力を作用させるレバーを備えるレバー式コネクタであってもよい。
【００４０】
また、サービスプラグ１は、プラグ端子２１ａを雄端子とし、受け端子１１を雌端子としたが、これに限定されない。例えば、サービスプラグ１は、プラグ端子２１ａを雌端子とし、受け端子１１を雄端子としてもよい。
【符号の説明】
【００４１】
１０  受けコネクタ
１１  受け端子
２０、２０Ａ  プラグコネクタ
２１  プラグ端子ユニット
２１ａ  プラグ端子
２１ｂ  導電連結板（線状部材）
２１ｄ  中間部
２２  プラグハウジング（ハウジング）
２３、２４  支持部
２３ａ、２４ａ  第１支持部
２３ｂ、２４ｂ  第２支持部
２３ｃ、２３ｄ  支持面
２４ｃ、２４ｇ  保持板
２４ｄ、２４ｈ  足部
【図１】
0006653216.tif 000002
【図２】
0006653216.tif 000003
【図３】
0006653216.tif 000004
【図４】
0006653216.tif 000005
【図５】
0006653216.tif 000006
【図６】
0006653216.tif 000007
【図７】
0006653216.tif 000008
【図８】
0006653216.tif 000009